(57)【要約】【課題】使用済みのペットボトルを用いて茶葉等の自然抽出を行うことにより、茶飲料の持つ風味と香りを最高に保持するとともに、ペットボトルを再利用に供する際の用途の拡大をはかることができるペットボトル用ティーバッグを得ることを目的とする。【解決手段】茶葉等の収納室３ａ，３ｂ，３ｃを長手方向に沿って一体的に複数段連結して形成し、熱シール部２により上記収納室３ａ，３ｂ，３ｃを長手方向に隣接して隔成してなるペットボトル用ティーバッグ１を基本構成とする。各収納室３ａ，３ｂ，３ｃの長手方向に沿う左右両端部に、熱シール部２方向に山型に広げた突出部６を形成したことにより、各収納室３ａ，３ｂ，３ｃの左右両端の空間部断面を略台形に拡開するとともに長手方向の左右両端部にある熱シール部２の幅員方向端面に中心方向への延長部２ａを形成する。【選択図】図１
2007197016.tif 000002
【特許請求の範囲】
【請求項１】
茶葉等の収納室を長手方向に沿って一体的に複数段連結して形成し、熱シール部により上記収納室を長手方向に隣接して隔成してなることを特徴とするペットボトル用ティーバッグ。
【請求項２】
各収納室の長手方向に沿う左右両端部に、熱シール部方向に山型に広げた突出部を形成したことにより、各収納室の左右両端の空間部断面を略台形に拡開するとともに長手方向の左右両端部にある熱シール部の幅員方向端面に中心方向への延長部を形成した請求項１記載のペットボトル用ティーバッグ。
【請求項３】
前記熱シール部の中央部分にミシン目を形成した請求項１又は２記載のペットボトル用ティーバッグ。
【請求項４】
前記茶葉等の収納室を、長手方向に沿う細長い三連のティーバッグとして形成した請求項１，２又は３記載のペットボトル用ティーバッグ。
【請求項５】
前記茶葉等の収納室を、長手方向に沿う細長い二連以上の多連のティーバッグとして形成した請求項１，２又は３記載のペットボトル用ティーバッグ。
【発明の詳細な説明】
【技術分野】
【０００１】
本発明はペットボトルの瓶口からペットボトル本体内への挿入と取り出し操作を容易にしたペットボトル用ティーバッグに関するものである。
【背景技術】
【０００２】
一般にコンビニやスーパー等の小売店や自販機で販売される各種飲料の飲料容器としてペットボトルが多用されており、まさにペットボトルの全盛である。近時はペットボトル飲料として、各地域のミネラルウォーターの他に、緑茶，紅茶，中国茶，各種健康茶等の抽出飲料の人気が高く、多種多様のものが提供されている。これらのペットボトルは、ペットボトルの瓶口に密閉型キャップを覆せて、該キャップの内周壁面に刻設された螺子切り部を瓶口の外周壁面に刻設された螺子切り部に螺合することにより、使用前のペットボトル内部が未使用の密閉状態に保持されいてる。
【０００３】
通常、利用後のペットボトルは産業廃棄物として処理されたり、資源の活用をはかるためにゴミ集積場から再生工場に運ばれてチップ化され、各種プラスチック材料の原材料等にリサイクルして利用されている。更に家庭においても空のペットボトル内に水とかジュースまたは抽出した茶を再充填して再利用を図るケースも多々ある。
【０００４】
特許文献１には、使用済みのペットボトルで用いることの出来るティーバッグを提供することを目的として、袋の幅又は筒状体の断面最大直径がペットボトルの瓶口の内径以下であるようにしたペットボトル用スティック状ティーバッグが開示されている。
【０００５】
特許文献２には、ペットボトルの瓶口から簡単に出し入れができるとともに、ペットボトルに入れたまま既存の蓋で栓ができて携帯することができるティーバッグを提供することを目的として、本体のたて中央を境界として左右に区分して各個室を形成するとともに、各々の個室に日本茶、紅茶、コーヒー等の嗜好物を封入し、各々のつかみ代片とを吊り糸にて連なるようにしたティーバッグ例が記載されている。
【特許文献１】特開２００３−２４６３６５号公報
【特許文献２】実用新案登録第３１１４０２３号公報
【発明の開示】
【発明が解決しようとする課題】
【０００６】
前記したように、小売店や自販機で大量販売される使用済みのペットボトルはリサイクルして再利用されているが、他方で使用済みのペットボトルを用いて各家庭で簡単にお茶その他の飲料を作成できる手段が求められている。その手段として、吊り糸付きティーバッグの利用が考えられるが、従来のティーバッグの形状は台形や三角の立方体で構成されているため、ペットボトルの細い瓶口からは入れにくく、茶飲みとかティーカップのように広口の容器にしか使用することができないという課題がある。また、無理にペットボトル内にティーバッグを入れたとしても、水分によって茶葉が膨張するため、該ティーバッグを取り出してペットボトルを再再利用することができない。
【０００７】
更に特許文献１，２によれば、スティック状ティーバッグを用いることでペットボトルの瓶口から該ティーバッグを出し入れすることができるが、ペットボトルの容量に合わせて最適な分量の茶葉を出し入れするという利用方法は採ることができないため、ティーバッグの使い勝手が必ずしも良くないという問題が残っている。特にペットボトルには、使用目的に応じて５００ｍｌ，１０００ｍｌ，２０００ｍｌ等の容量を持つボトルが使用されており、これらの各ペットボトルの再利用時には最適な分量の茶葉を出し入れできる使用形態がとれることが肝要である。
【０００８】
前記特許文献１，２によっても茶葉等の内容物が嵩張ってティーバッグをペットボトル内に入れにくく、抽出時にも茶葉等が一個所に集まって抽出効果が悪い上、抽出時における茶葉等の膨張によりペットボトルからティーバッグを取り出しにくいという問題が残っている。
【０００９】
他方で一般に市販されているペットボトル入り抽出飲料は、抽出後に１００℃以上の高温で殺菌処理することが必要であるため、高熱によって茶等が本来持っている風味とか香りが損なわれてしまっている。また、茶飲料に付加価値を付けるため、メーカが抽出後の茶にビタミン類とか保存料を添加することも通常行われており、これも茶自体の風味が損なわれる一因となっている。本来、例えば茶飲料は、家庭における茶の飲用と同様に、飲用直前に茶葉をペットボトル内の湯或いは水と同時に充填して自然抽出を行って飲用することが風味と香りを最高に保持して美味しい茶飲料を飲用するために不可欠である。
【００１０】
そこで本発明は従来のペットボトル用ティーバッグが有している上記課題を解消して、使用済みのペットボトル内に湯或いは水ととともに充填して自然抽出を行うことにより、茶飲料の持つ風味と香りを最高に保持するとともに、利用者がペットボトルを再利用に供する際の用途の拡大をはかることができるスティック状のペットボトル用ティーバッグを得ることを目的とするものである。
【課題を解決するための手段】
【００１１】
本発明は上記目的を達成するために、茶葉等の収納室を長手方向に沿って一体的に複数段連結して形成し、熱シール部により上記収納室を長手方向に隣接して隔成してなるペットボトル用ティーバッグを基本構成として提供する。
【００１２】
各収納室の長手方向に沿う左右両端部に、熱シール部方向に山型に広げた突出部を形成したことにより、各収納室の左右両端の空間部断面を略台形に拡開するとともに長手方向の左右両端部にある熱シール部の幅員方向端面に中心方向への延長部を形成する。前記熱シール部の中央部分にはミシン目が形成されている。また、茶葉等の収納室を、長手方向に沿う細長い三連のティーバッグとして形成するか、二連以上の多連のティーバッグとして形成する。
【発明の効果】
【００１３】
本発明によって得られたペットボトル用ティーバッグによれば、使用済みのペットボトルの再利用時に、瓶口から湯又は水とともに本発明にかかるスティック状のペットボトル用ティーバッグをストレートに挿入し、該ティーバッグの端部をペットボトルの瓶口に係止してからキャップを利用して該ティーバッグの端部をペットボトルの瓶口に仮固定し、適当な時間維持することで茶等の自然抽出を行うことができるので、抽出後の殺菌処理による高熱の影響をなくして茶の持つ風味と香りを最高の状態に保持することができる。飲料の飲用後はペットボトル用ティーバッグの端部がペットボトルの瓶口に係止されているとともに抽出時の茶葉の膨張によるティーバッグ自体の膨張が分散されるので、ペットボトル内からの取り出し操作もスムーズに行うことができるとともに茶葉等の膨張による抽出効果の低下現象は生じない。
【００１４】
使用済みペットボトルの容量が異なるケースでも、本発明にかかるペットボトル用ティーバッグの熱シール部に形成されているミシン目を利用して、第１，第２，第３のティーバッグに分割して使用することで対処することが可能であり、ペットボトル用ティーバッグを単体，二連，或いは二連以上の多連のティーバッグとして利用することができる。
【００１５】
また、本発明にかかるスティック状のペットボトル用ティーバッグは単体で販売し、或いはノベルティとして頒布することも可能である。更に抽出用の水／湯を一緒に配備することで利用者が好みに応じて個別に飲用できるティーバッグのセットとして販売に供することもできる。
【発明を実施するための最良の形態】
【００１６】
以下本発明にかかるペットボトル用ティーバッグの最良の実施形態を説明する。本発明は茶葉等の収納室を長手方向に沿って一体的に複数段連結して形成し、熱シール部により上記収納室を長手方向に隣接して隔成してなるペットボトル用ティーバッグを基本構成としている。
【００１７】
図１は本発明にかかるペットボトル用ティーバッグの具体的な実施形態を示す平面図であり、図２は同裏面図である。図中の１は細長く形成された三連のスティック状のペットボトル用ティーバッグを全体的に示している。該ペットボトル用ティーバッグ１は、素材として透液性の不織布を用いて構成されており、長手方向に沿って一体的に連結された第１のティーバッグ１ａと第２のティーバッグ１ｂ及び第３のティーバッグ１ｃとからなり、熱シール部２，２により茶葉等の収納室３ａ，３ｂ，３ｃが長手方向に隣接して隔成されている。また，熱シール部２，２の中央部分にはミシン目５，５が形成されている。
【００１８】
上記茶葉等の収納室３ａ，３ｂ，３ｃの形状例として、各収納室３ａ，３ｂ，３ｃの長手方向に沿う左右両端部を熱シール部２，２方向に山型に広げた突出部６，６が形成されている。これにより各収納室３ａ，３ｂ，３ｃの左右両端の空間部断面が略台形に拡開され、長手方向の左右両端部にある熱シール部２の幅員方向端面には、ペットボトル用ティーバッグ１の中心方向への延長部２ａが形成されるため、詳細は後述する操作時において該熱シール部２を折り曲げやすくなり、ペットボトル用ティーバッグ１のペットボトル内への挿入操作が容易となる。
【００１９】
図２に示す４はペットボトル用ティーバッグ１の裏面側で長手方向に沿って形成された重ね合せ部であり、収納室３ａ，３ｂ，３ｃ内に茶葉等の内容物を分割して収納してから重ね合せ部４で不織布を熱圧着し、熱シール部２，２で３個の収納室３ａ，３ｂ，３ｃを隔成した後にミシン目５，５を形成することによって、三連のペットボトル用ティーバッグとして製作される。収納室３ａ，３ｂ，３ｃ内に収納する茶葉の分量は、一つの収納室当たりで３．５ｇ〜５ｇ程度が適当である。
【００２０】
ペットボトル用ティーバッグ１の幅員Ｌは、ペットボトルの瓶口の径長よりも小さいサイズに形成して、ペットボトル用ティーバッグ１をペットボトルの瓶口から挿入可能とすることが好ましいが、上記幅員Ｌがペットボトルの瓶口の径長よりやや大きいサイズであっても、ペットボトル用ティーバッグ１の熱シール部２，２の幅員方向端面にティーバッグの中心方向への延長部２ａが形成されているため、熱シール部２，２が曲折自在であり、該熱シール部２，２を曲げながら瓶口からペットボトル内に容易に挿入することができる。
【００２１】
本実施形態では、ペットボトル用ティーバッグ１が細長い三連に形成されているが、使用目的に応じて複数段の収納室を有する二連以上の多連に構成したスティック状のペットボトル用ティーバッグとすることもできる。また、収納室３ａ，３ｂ，３ｃ内には同一の種類の茶葉等の内容物が収納されているが、使用目的に応じて異なる種類の内容物を各収納室３ａ，３ｂ，３ｃ内に収納してもよい。内容物としては、緑茶，麦茶，はと麦茶，ウーロン茶，紅茶等の何れであってもよく、コーヒー又はココアの粉末を収納することもできる。尚、メーカーが茶葉等が収納されたペットボトル用ティーバッグ１を製作した後、このペットボトル用ティーバッグ１を単品として商品化するか、或いはノベルティとして頒布することも可能であり、更に抽出用の水／湯を一緒に配備することで利用者が好みに応じて個別に飲用できるティーバッグのセットとして販売に供することもできる。
【００２２】
かかる実施形態によれば、利用者は使用済みのペットボトルのキャップを取り外し、該ペットボトルの瓶口から湯又は水とともに本発明にかかるペットボトル用ティーバッグ１を長手方向に沿ってストレートに挿入し、該ペットボトル用ティーバッグ１の端部をペットボトルの瓶口に係止してからキャップを利用して該ペットボトル用ティーバッグ１の端部をペットボトルの瓶口に仮固定する。この状態を適当な時間維持することでペットボトル内で茶等の自然抽出が行われるので、抽出後にキャップを開栓し、得られた飲料を直接或いは容器に移して飲用に供するか、キャップを閉めて外出時の携行用として利用する。茶等の抽出飲料は抽出後の殺菌処理による高熱の影響もなく、風味と香りを最高に保持することができる。
【００２３】
ペットボトル用ティーバッグ１の利用に際して、市販されているペットボトルには、５００ｍｌ，１０００ｍｌ，２０００ｍｌ等の容量を持つものがあるため、該ペットボトル用ティーバッグ１の熱シール部２，２の中央部分に形成されているミシン目５，５を利用して各第１，第２，第３のティーバッグ１ａ，１ｂ，１ｃに分割して使用する。例えば容量が２０００ｍｌのペットボトルでは三連のペットボトル用ティーバッグ１をそのまま、１０００ｍｌのペットボトルではティーバッグ１ａ，１ｂだけを連結したまま二連で使用し、５００ｍｌのペットボトルではティーバッグ１ａ，１ｂ，１ｃの何れか１個のティーバッグを利用して該ペットボトル内で自然抽出を行う。
【００２４】
茶等の飲料の飲用後は、前記したようにペットボトル用ティーバッグ１の端部がペットボトルの瓶口に係止されているため、該ペットボトル用ティーバッグ１は簡単に取り除くことが可能であり、ペットボトルを再再利用に供することができる。使用時にペットボトル用ティーバッグ１がペットボトルの中に没入してしまった場合には、飲用前であれば抽出液内で浮いているペットボトル用ティーバッグ１を何かの部材で引っかけて容易に取り出し可能であり、飲用後であればペットボトルを逆さまにして簡単に取り出すことができる。
【００２５】
上記の操作に際して、ペットボトル用ティーバッグ１が細長い三連の形状を有して形成されているため、従来のような１個のティーバッグを用いた場合に較べて、抽出時における茶葉の膨張によるティーバッグ自体の膨張が分散されて抽出効果の低下現象がなく、ペットボトル内からの取り出し操作もスムーズに行うことができる。特に従来のティーバッグのように収納室が１個のケースでは、水分の吸収によって茶葉等が膨張することで抽出効果が低下するとともにペットボトルからのティーバッグの取り出しが困難になるという難点があるのに対して、本発明にかかるペットボトル用ティーバッグ１は、茶葉等の収納室が細長い三連の形状を有して形成されたことにより、一個所でのティーバッグの膨張は小さく抑えられて抽出効果が高く、ペットボトル内からの取り出し操作も容易になる。
【産業上の利用可能性】
【００２６】
以上説明したように、本発明によれば使用済みペットボトルの再利用時に、ティーバッグの端部をペットボトルの瓶口に係止して端部を仮固定し、適当な時間維持することで茶等の自然抽出を行うことができるので、茶の持つ風味と香りを最高の状態に保持することができるとともに抽出時の茶葉の膨張によるティーバッグ自体の膨張が分散されてペットボトル内からのティーバッグの取り出し操作もスムーズに行うことができる上、ペットボトルの容量が異なる場合でもミシン目を利用して、ティーバッグを分割して単体，二連，或いは二連以上の多連のティーバッグとして使用することで対処可能であり、各収納室に収納する内容物として、緑茶，麦茶，はと麦茶，ウーロン茶，紅茶等の外、コーヒー又はココアの粉末を利用することも可能であり、使用済みペットボトルの用途の拡大をはかることができるスティック状のペットボトル用ティーバッグを提供することができる。
【図面の簡単な説明】
【００２７】
【図１】本発明にかかるペットボトル用ティーバッグの実施形態を示す平面図。
【図２】図１の裏面図。
【符号の説明】
【００２８】
１…ペットボトル用ティーバッグ
１ａ…第１のティーバッグ
１ｂ…第２のティーバッグ
１ｃ…第３のティーバッグ
２…熱シール部
２a…延長部
３ａ，３ｂ，３ｃ…収納室
４…重ね合せ部
５…ミシン目
６…突出部
【図１】
2007197016.tif 000003
【図２】
2007197016.tif 000004